(57)【要約】【課題】  ユーザーが所望する電力消費量で動作し得る、操作性の高いディスプレイ装置の提供。【解決手段】  ディスプレイ装置(1)は、目標消費電力に対応して平均輝度レベルと表示パルス数との対応関係を示す特性を得る特性取得部(24)と、入力画像信号の平均輝度レベルを検出する平均輝度レベル検出部(20)と、前記特性を参照して前記平均輝度レベルの検出値に対応する表示パルス数を決定する駆動制御部(22)と、駆動制御部(22)により決定された表示パルス数の表示パルスを生成する駆動部(16,17A,17B)と、駆動部(16,17A,17B)から前記表示パルスの供給を受けて前記表示パルス数に応じた輝度で発光する表示パネル(2)と、を備える。【選択図】    図１
2005321508.tif 000002
【特許請求の範囲】
【請求項１】
ディスプレイ装置であって、
目標消費電力に対応して平均輝度レベルと表示パルス数との対応関係を示す特性を得る特性取得部と、
入力画像信号の平均輝度レベルを検出する平均輝度レベル検出部と、
前記特性を参照して前記平均輝度レベルの検出値に対応する表示パルス数を決定する駆動制御部と、
前記駆動制御部により決定された表示パルス数の表示パルスを生成する駆動部と、
前記駆動部から前記表示パルスの供給を受けて前記表示パルス数に応じた輝度で発光する表示パネルと、
を備えることを特徴とするディスプレイ装置。
【請求項２】
請求項１記載のディスプレイ装置であって、
前記表示パネルは、マトリクス状に配列している複数の放電セルを有するプラズマディスプレイパネルを含み、
前記駆動部は、前記放電セルを発光せしめる放電維持パルスを前記表示パルスとして前記放電セルに供給し、
前記駆動制御部は、表示すべき画像の１フィールドを複数のサブフィールドに分割し、前記特性を参照して前記サブフィールド各々に割り当てる放電維持パルス数を前記表示パルス数として決定することを特徴とするディスプレイ装置。
【請求項３】
請求項１または２記載のディスプレイ装置であって、複数の消費電力にそれぞれ対応した前記特性を記憶しているデータベースをさらに備え、前記特性取得部は、前記ディスプレイ装置の消費電力を前記目標消費電力に一致せしめる前記特性を前記データベースから得ることを特徴とするディスプレイ装置。
【請求項４】
請求項１から３のうちのいずれか１項に記載のディスプレイ装置であって、前記特性取得部は、前記ディスプレイ装置の消費電力を前記目標消費電力に一致せしめる前記特性を算出することを特徴とするディスプレイ装置。
【請求項５】
請求項１から４のうちのいずれか１項に記載のディスプレイ装置であって、入力された値を前記目標消費電力として与える入力装置をさらに備えることを特徴とするディスプレイ装置。
【請求項６】
請求項１から４のうちのいずれか１項に記載のディスプレイ装置であって、
入力された値を前記ディスプレイ装置の消費電力の変化率として与える入力装置と、
前記変化率に基づいて前記目標消費電力を算出する電力設定部と、
をさらに備えることを特徴とするディスプレイ装置。
【請求項７】
請求項１から４のうちのいずれか１項に記載のディスプレイ装置であって、
入力された値に対応するコマンドを与える入力装置と、
前記コマンドに応じた電力を前記目標消費電力として設定する電力設定部と、
をさらに備えることを特徴とするディスプレイ装置。
【請求項８】
請求項１から７のうちのいずれか１項に記載のディスプレイ装置であって、
前記目標消費電力に対応する表示データを与える手段と、
前記表示データを前記表示パネルに表示すべき画像データに重畳する重畳部と、
をさらに備えることを特徴とするディスプレイ装置。
【請求項９】
請求項１から７のうちのいずれか１項に記載のディスプレイ装置であって、
前記目標消費電力に対応する表示データを与える手段と、
前記表示データを表示部に出力するインターフェース部と、
をさらに備えることを特徴とするディスプレイ装置。
【請求項１０】
請求項８または９記載のディスプレイ装置であって、前記ディスプレイ装置の消費電力を測定する電力測定部をさらに備え、前記表示データは、前記消費電力の測定値を示すデータを含むことを特徴とするディスプレイ装置。
【請求項１１】
請求項８から１０のうちのいずれか１項に記載のディスプレイ装置であって、前記表示データは、前記目標消費電力の値を示すデータを含むことを特徴とするディスプレイ装置。
【請求項１２】
請求項８から１１のうちのいずれか１項に記載のディスプレイ装置であって、前記ディスプレイ装置の消費電力に相当する電気料金を算出する手段をさらに備え、前記表示データは前記電気料金を示すデータを含むことを特徴とするディスプレイ装置。
【発明の詳細な説明】
【技術分野】
【０００１】
本発明は、プラズマディスプレイなどのディスプレイ装置に表示すべき映像の発光輝度を制御する技術などに関する。
【背景技術】
【０００２】
プラズマディスプレイは、マトリクス状に配列している複数個の放電セルを有しており、選択した放電セルにガス放電を起こして発生した紫外線で放電セル内の蛍光体を励起することで発光する。単位時間当たりの放電セルの放電回数、すなわち放電セルに印加する放電維持パルスの回数を制御することで多階調の輝度表示が可能になる。一般に、プラズマディスプレイの駆動方式としては、１枚の画像に相当する１フィールドを複数枚のサブフィールドに分割し、各サブフィールドにおける発光維持期間の比率を２のべき乗に設定し、これらのサブフィールドの組み合わせで多階調表示を行うというサブフィールド法が採用されている。たとえば、８枚のサブフィールドの発光維持期間の比率を２0 ：２1 ：２2 ：２3 ：２4 ：２5 ：２6 ：２7 、すなわち１：２：４：８：１６：３２：６４：１２８に設定すれば、サブフィールドの組み合わせで２５６階調を実現することが可能である。サブフィールド法に関する技術は、たとえば、特許文献１（特開２００４−４６０６号公報）に開示されている。
【０００３】
また、主に消費電力の低減を図るために、入力画像信号の平均輝度レベル（ＡＰＬ；Average Peak Level）に応じて、各サブフィールドにおける放電維持パルス数を可変に設定するというＡＢＬ（Automatically Brightness Limit）機能を有するプラズマディスプレイが存在している。ＡＢＬ機能を有するプラズマディスプレイは、平均輝度レベルに対する放電維持パルス数の関係を示す特性曲線をメモリに記憶しており、この特性曲線を参照して平均輝度レベルの検出値に応じた放電維持パルス数を決定する。このＡＢＬ機能により、プラズマディスプレイは、高い平均輝度レベルを検出したときは、各サブフィールドにおける放電維持パルス数を減少させることで画面全体の明るさを低減させ、一方、低い平均輝度レベルを検出したときは、各サブフィールドにおける放電維持パルス数を増加させることで画面全体の明るさを増加させる。たとえば、特許文献２（特開２００３−２９６９８号公報）には、プラズマディスプレイのＡＢＬ機能が開示されている。この特許文献２に記載されるプラズマディスプレイは、複数種類の特性曲線，たとえば，標準使用時の特性曲線、焼き付き防止用の特性曲線および省電力用の特性曲線などをメモリに保持している。ユーザーは、状況に応じて、これらの特性曲線の中から任意の曲線を選択することができる。
【特許文献１】特開２００４−４６０６号公報
【特許文献２】特開２００３−２９６９８号公報（図３，第００３１〜００３２段落など）
【発明の開示】
【発明が解決しようとする課題】
【０００４】
上述の通り、ＡＢＬ機能の目的は、主にプラズマディスプレイの省電力化であるが、省電力用の特性曲線を用いてＡＢＬ処理が実行されたとしても、ユーザーは、実際の電力消費量がどの程度の量であるかの実感が湧かず、省電力用の特性曲線を選択しようとする意識に欠けるという問題がある。また、省電力用の特性曲線が選択された場合でも、プラズマディスプレイが、ユーザーが期待する程度に低い電力消費量で動作しているとは限らない。
【０００５】
以上の状況などに鑑みて本発明の主目的は、ユーザーが所望する電力消費量で動作し得て操作性の高いディスプレイ装置を提供する点にある。
【課題を解決するための手段】
【０００６】
上記目的を達成するべく、請求項１記載の発明は、ディスプレイ装置であって、目標消費電力に対応して平均輝度レベルと表示パルス数との対応関係を示す特性を得る特性取得部と、入力画像信号の平均輝度レベルを検出する平均輝度レベル検出部と、前記特性を参照して前記平均輝度レベルの検出値に対応する表示パルス数を決定する駆動制御部と、前記駆動制御部により決定された表示パルス数の表示パルスを生成する駆動部と、前記駆動部から前記表示パルスの供給を受けて前記表示パルス数に応じた輝度で発光する表示パネルと、を備えることを特徴としている。
【発明を実施するための最良の形態】
【０００７】
以下、図面を参照しつつ本発明に係る種々の実施例について説明する。
【０００８】
図１は、本発明に係る実施例のプラズマディスプレイ（ディスプレイ装置）の構成を概略的に示すブロック図である。このプラズマディスプレイ１は、表示パネル（プラズマディスプレイパネル）２と、表示パネル２を駆動するアドレス電極ドライバ１６および維持電極ドライバ１７Ａ，１７Ｂとを備えている。アドレス電極ドライバ１６と維持電極ドライバ１７Ａ，１７Ｂとで本発明の駆動部が構成される。プラズマディスプレイ１は、さらに、Ａ／Ｄ変換器（ＡＤＣ）１０，信号処理部１１，ＳＦデータ生成部１３，フレームメモリ回路１４，ＡＰＬ検出部（平均輝度レベル検出部）２０，コントローラ２１および電源回路２８を備えている。
【０００９】
電源回路２８は、外部からの供給電力を用いて、プラズマディスプレイ１の全ての処理ブロックに供給する動作電圧を生成する。また、電源回路２８には、プラズマディスプレイ１の消費電力を検出する消費電力検出部２９が組み込まれており、消費電力検出部２９は、検出した消費電力の値をコントローラ２１に与える。
【００１０】
入力画像信号は、Ｒ（赤色），Ｇ（緑色），Ｂ（青色）のアナログ信号で構成されている。Ａ／Ｄ変換器１０は、Ｒ，Ｇ，Ｂのアナログ信号をそれぞれサンプリングし量子化することで８ビットのＲ，Ｇ，Ｂのデジタル画像信号を生成し信号処理部１１に出力する。信号処理部１１は、Ａ／Ｄ変換器１０からのデジタル画像信号に誤差拡散処理およびディザ処理を施して得た画像信号ＰＤを重畳部１２、コントローラ２１およびＡＰＬ検出部２０に供給する。信号処理部１１は、たとえば、８ビットの画像信号の下位２ビットを周辺画素の上位６ビットに拡散する誤差拡散処理を実行して６ビット信号を生成する。信号処理部１１は、さらに、誤差拡散処理で得られた６ビット信号にディザマトリクスの要素を加算した後にビットシフトすることで４ビットの画像信号ＰＤを出力し得る。
【００１１】
重畳部１２は、信号処理部１１から入力した画像信号ＰＤに、コントローラ２１からの表示データを重畳することで重畳画像信号ＰＤｓを生成しこれをＳＦデータ生成部１３に出力する。ＳＦデータ生成部１３は、サブフィールド法に基づいて、重畳画像信号ＰＤｓからＳＦデータ（サブフィールドデータ）ＧＤを生成してこれをフレームメモリ回路１４に出力し、フレームメモリ回路１４は、入力したＳＦデータを内部のバッファメモリ（図示せず）に一時的に記憶するとともに、当該バッファメモリに記憶されているＳＦデータを読み出してアドレス電極ドライバ１６に供給する。アドレス電極ドライバ１６は、入力するＳＦデータに基づいてアドレスパルスを発生しこれらを所定のタイミングでアドレス電極Ｄ1 〜Ｄm に印加する。
【００１２】
表示パネル２は、マトリクス状に配列している複数の放電セルＣＬ，ＣＬ，…と、アドレス電極ドライバ１６からＹ方向に伸長するｍ本（ｍは２以上の整数）のアドレス電極Ｄ1 ，…，Ｄm と、第１維持電極ドライバ１７Ａから、Ｙ方向と直交するＸ方向に伸長するｎ＋１本（ｎは２以上の整数）の維持電極Ｌ1 ，…，Ｌn+1 と、第２維持電極ドライバ１７Ｂから−Ｘ方向に伸長するｎ本の維持電極Ｓ1 ，…，Ｓn とを備えている。放電セルＣＬ，ＣＬ，…は、アドレス電極Ｄ1 〜Ｄm と維持電極Ｌ1 〜Ｌn+1 ，Ｓ1 〜Ｓn との交差点付近の領域に形成されている。
【００１３】
上記表示パネル２の一部領域の平面図を図２に示す。図３は、図２に示す表示パネル２のＶ１−Ｖ１線に沿った断面図である。図２を参照すると、維持電極Ｓj ，Ｓj+1 （ｊは１〜ｎ−１の整数）の各々は、−Ｘ方向に伸長する帯状のバス電極Ｓｂと、バス電極Ｓｂと接続しＹ方向に伸長する帯状の透明電極Ｓａ，Ｓａ，…とで構成されている。透明電極Ｓａは、ＩＴＯ（インジウム錫酸化）などの透明導電材料からなり、Ｔ字形状の両端部を有している。またバス電極Ｓｂは黒色または暗色の金属膜からなる。維持電極Ｌj ，Ｌj+1 の各々は、Ｘ方向に伸長し黒色または暗色の金属膜からなる帯状のバス電極Ｌｂと、バス電極Ｌｂと接続しＹ方向に伸長する帯状の透明電極Ｌａ，Ｌａ，…とで構成されている。透明電極Ｌａは、ＩＴＯなどの透明導電材料からなり、透明電極Ｓａの一方の先端部と放電ギャップＧ１を介して対向するＴ字形状の先端部を有している。図３に示すように、これらの維持電極Ｓj ，Ｓj+1 ，Ｌj ，Ｌj+1 は、透光性の前面基板４２の裏面に形成されており、さらに、維持電極Ｓ ，Ｓj+1 ，Ｌj ，Ｌj+1 を被覆するように前面誘電体層４３が成膜されている。この前面誘電体層４３上には、黒色または暗色の顔料を含む光吸収性の誘電体層（ブラックストライプ）４０，４０，…が、Ｘ方向に伸長してストライプ状に形成されている。なお、前面誘電体層４３とブラックストライプ４０，…の裏面にはＭｇＯ（酸化マグネシウム）からなる保護膜（図示せず）が形成されている。
【００１４】
一方、前面基板４２と対向する背面基板４６上には、Ｙ方向に伸長する帯状のアドレス電極Ｄk-1 ，Ｄk ，Ｄk+1 （ｋは１〜ｍ−１の整数）が成膜されている。図２に示す通り、アドレス電極Ｄk-1 ，Ｄk ，Ｄk+1 の各々は、一対の透明電極Ｓａ，ＬａとＺ方向（前面基板４２の深さ方向）に対向するように配置される。図３を参照すると、これらアドレス電極Ｄk-1 ，Ｄk ，Ｄk+1 を被覆し保護する背面誘電体層（保護層）４５が形成されており、背面誘電体層４５上には、Ｘ−Ｙ平面において連続する隔壁（リブ）４１Ａ，４１Ｂ，４１Ｃが設けられている。第１隔壁４１Ａ，４１Ａ，…は、それぞれ、バス電極Ｌｂ，Ｌｂ，…の直下にＸ方向に沿ってストライプ状に設けられ、第２隔壁４１Ｂ，４１Ｂ，…は、それぞれ、バス電極Ｓｂ，Ｓｂ，…の直下にＸ方向に沿ってストライプ状に設けられている。第１隔壁４１Ａとブラックストライプ４０との間には誘電体４４が積層されている。第３隔壁４１Ｃ，４１Ｃ，…は、背面誘電体層４５上であってアドレス電極上の各空間をＸ方向に区画するように設けられている。図３に示す通り、上記隔壁（リブ）４１Ａ，４１Ｂ，４１Ｃにより、一対の透明電極Ｌａ，Ｓａとアドレス電極Ｄk との間に主放電空間６０が形成され、且つ、透明電極Ｓａの先端部とアドレス電極Ｄk との間に副放電空間６１が形成されることとなる。主放電空間６０と副放電空間６１とは、ブラックストライプ４０と第２隔壁４１Ｂとの間の間隙Ｇ２を介して連通している。また主放電空間６０と副放電空間６１には、放電により紫外線を発生するＸｅ（キセノン）などからなる放電ガスが封入されている。
【００１５】
副放電空間６１の内壁には、比較的仕事関数が低い２次電子放出材料，たとえば、ＭｇＯ（酸化マグネシウム）またはＢａＯ（酸化バリウム）などからなる電子放出層４７が形成されている。主放電空間６０の内壁には、ガス放電で発生した紫外線を受けて、赤色（Ｒ），緑色（Ｇ）または青色（Ｂ）の光を発する蛍光体層４８が塗布されている。図１に示した放電セルＣＬは、第１隔壁４１Ａ，４１Ａと第３隔壁４１Ｃ，４１Ｃとで区画される領域に対応しており、各放電セルＣＬは、１つの主放電空間６０と１つの副放電空間６１とを有している。以上、表示パネル２の構造について説明した。
【００１６】
次に、図１を参照すると、ＡＰＬ検出部２０は、信号処理部１１から伝達した画像信号の平均輝度レベル（ＡＰＬ）を各フィールド期間毎もしくは所定数のフィールド期間毎に検出しこれをコントローラ２１に供給する。平均輝度レベルの検出値は、後述する特性曲線取得処理とＡＢＬ処理とに使用される。
【００１７】
コントローラ２１は、駆動制御部２２，特性取得部２４，データベース２５，電力設定部２６および電力測定部２７を備えており、入力装置３０，出力インターフェース部（Ｉ／Ｆ）３１および無線インターフェース部（無線Ｉ／Ｆ）３２と接続されている。図に明示していないが、コントローラ２１は、Ａ／Ｄ変換器１０，信号処理部１１，重畳部１２，ＳＦデータ生成部１３，フレームメモリ回路１４およびアドレス電極ドライバ１６を制御し得る。
【００１８】
入力装置３０は、キー入力装置やポインティングデバイスなどからなり、ユーザーは入力装置３０を操作して数値などのデータを入力することができる。入力装置３０は、ユーザーによる入力値または入力値に対応するコマンドをコントローラ２１に与える。出力インターフェース部３１は、メディアレシーバもしくはセットトップボックスなどの外部機器と接続され、コントローラ２１から与えられたデータを接続先の外部機器に出力する機能を有している。また、無線インターフェース部３２は、赤外線などを利用した近距離の無線通信を外部機器，たとえばリモコンなどの遠隔操作装置、と行う機能を有している。
【００１９】
駆動制御部２２は、信号処理部１１から入力する画像信号ＰＤと、ＡＰＬ検出部２０から供給される平均輝度レベルの検出値とに応じて、ＳＦデータ生成部１３，フレームメモリ回路１４，アドレス電極ドライバ１６、第１維持電極ドライバ１７Ａおよび第２維持電極ドライバ１７Ｂとを制御する。以下、駆動制御部２２による階調駆動方法を説明する。
【００２０】
図４は、発光駆動フォーマットの一例を示す図である。１フィールドは、Ｎ個（Ｎは１以上の整数）のサブフィールドＳＦ1 〜ＳＦN に分割されており、サブフィールドＳＦ1 〜ＳＦN は、それぞれ、アドレス期間Ｔｗと発光維持期間Ｔｉとを有している。先頭のサブフィールドＳＦ1 のみがアドレス期間Ｔｗの直前にリセット期間Ｔｒを有し、最後尾のサブフィールドＳＦN のみが発光維持期間Ｔｉの直後に消去期間Ｔｅを有する。
【００２１】
図５は、上記リセット期間Ｔｒ，アドレス期間Ｔｗおよび発光維持期間Ｔｉに表示パネル２に印加されるパルス波形を概略的に示すタイミングチャートである。図５を参照すると、まず、最初のサブフィールドＳＦ1 のリセット期間Ｔｒでは、第１維持電極ドライバ１７Ａが正極性のリセットパルスＲＰL ，…，ＲＰL をそれぞれ維持電極Ｌ1 ，…，Ｌn+1 に印加し、第２維持電極ドライバ１７Ｂが負極性のリセットパルスＲＰS ，…，ＲＰS をそれぞれ維持電極Ｓ1 ，…，Ｓn に印加し、さらに、アドレス電極ドライバ１６が正極性のリセットパルスＲＰD ，…，ＲＰD をそれぞれアドレス電極Ｄ1 ，…，Ｄm に印加する。このリセット期間Ｔｒでは、図３に示す表示パネル２の透明電極Ｓａとアドレス電極Ｄk との間の放電空間６０，６１でガス放電（リセット放電）が起こり、副放電空間６１で発生した電荷は間隙Ｇ２を通して主放電空間６０に移動する。この結果、全ての放電セルＣＬ，…の各々において、主放電空間６０の蛍光体層４８の表面に壁電荷が蓄積される。
【００２２】
次のアドレス期間Ｔｗでは、消灯すべき放電セルＣＬ，…に選択的に消去アドレス放電を起こして壁電荷を消滅させる。すなわち、図５に示すように、第２維持電極ドライバ１７Ｂは、正極性の走査パルスＳＰをアドレス電極Ｄ1 ，…，Ｄm に順次印加する。このとき、アドレス電極ドライバ１６は、各走査パルスＳＰの印加タイミングに同期したアドレスパルス群ＤＰ1 ，…，ＤＰn を順次印加する。具体的には、アドレス電極ドライバ１６は、第１ラインの維持電極Ｓ1 に印加された走査パルスＳＰに同期したアドレスパルス群ＤＰ1 をアドレス電極Ｄ1 〜Ｄm に印加し、その後、第２ラインの維持電極Ｓ2 に印加された走査パルスＳＰに同期したアドレスパルス群ＤＰ2 をアドレス電極Ｄ1 〜Ｄm に印加する。アドレス電極ドライバ１６は、このような処理を、最終ラインの維持電極Ｓn に印加された走査パルスＳＰに同期したアドレスパルス群ＤＰn を印加するまで繰り返し実行する。このアドレス期間Ｔｗでは、点灯すべき放電セルＣＬにおいて、図３に示すアドレス電極Ｄk と透明電極Ｓａとの間の空間でガス放電（消去アドレス放電）が発生し、この結果、放電セルＣＬに蓄積されていた壁電荷が消滅する。
【００２３】
次の発光維持期間Ｔｉでは、第１維持電極ドライバ１７Ａが負極性の放電維持パルスＩＰL ，…，ＩＰL をそれぞれ維持電極Ｌ1 ，…，Ｌn+1 に、割り当てられた回数だけ繰り返し印加するとともに、第２維持電極ドライバ１７Ｂが負極性の放電維持パルスＩＰS ，…，ＩＰS をそれぞれ維持電極Ｓ1 ，…，Ｓn に、割り当てられた回数だけ繰り返し印加する。ここで、維持電極Ｓ1 〜Ｓn に印加する最後の放電維持パルスＩＰE ，…，ＩＰE の振幅は、それ以前の放電維持パルスＩＰS と比べると若干大きく設定されている。この結果、壁電荷が形成されている放電セルＣＬ，…においては、図３に示す主放電空間６０内の一対の透明電極Ｓａ，Ｌａ間付近でガス放電（維持放電）が起こり、この放電で発生した紫外線を受けて蛍光体層４８が励起し、Ｒ，Ｇ，Ｂのいずれかの光を放出することとなる。
【００２４】
次のサブフィールドＳＦ2 のアドレス期間Ｔｗにおいては、消灯すべき放電セルＣＬに上記の如き消去アドレス放電を起こして壁電荷を消滅させる。次の発光維持期間Ｔｉでは、維持電極ドライバ１７Ａ，１７Ｂが、上記の如き放電維持パルスＩＰL ，ＩＰS を、割り当てられた回数だけ繰り返し印加する。その後、図４に示す如きサブフィールドＳＦ3 〜ＳＦN における処理が行われ、最後尾の消去期間Ｔｅでは、全ての放電セルＣＬ，…に一斉に消去放電を起こすことで壁電荷を消滅させる。
【００２５】
図６に、画像データＰＤｓの階調レベルとサブフィールドＳＦ1 〜ＳＦ15 との関係を例示する。ＳＦデータ生成部１３は、図６に示される変換テーブルに従って、重畳部１２から入力した４ビットの画像データＰＤｓを１５ビットのＳＦデータＧＤに変換してこれをフレームメモリ回路１４に出力する。すなわち、入力データＰＤｓの階調レベルが「０」のときは、ＳＦデータＧＤの第１番目の最下位ビット（ＬＳＢ；Least Significant Bit）の値が「１」に設定され、それ以外の各ビットの値が「０」に設定される。入力データＰＤｓの階調レベルが「ｋ」（ｋは１〜１４の整数）のときは、ＳＦデータＧＤの第ｋ＋１番目ビットの値が「１」に設定され、それ以外の全ビットの値が「０」に設定される。そして、入力データＰＤｓの階調レベルが「１５」のときは、ＳＦデータＧＤの最下位ビットから最上位ビット（ＭＳＢ；Most Significant Bit）までの全ビットの値が「０」に設定される。
【００２６】
アドレス電極ドライバ１６は、フレームメモリ回路１４から入力する１水平ライン分のＳＦデータＧＤをサンプリングしラッチした後、画像データＧＤの各ビットの値に対応したアドレスパルスを生成してアドレス電極Ｄ1 〜Ｄm に印加する。図６を参照すると、ＳＦデータＧＤのＬＳＢの値が「１」のときは、最初のサブフィールドＳＦ1 のアドレス期間Ｔｗで、消灯すべき放電セルＣＬ，…の壁電荷を消滅させる消去アドレス放電が起こる。ＳＦデータＧＤの第ｋ番目ビット（ｋは１〜１４の整数）の値が「１」のときは、１番目〜ｋ−１番目のサブフィールドＳＦ1 〜ＳＦk-1 の各発光維持期間Ｔｉで、壁電荷を有する放電セルＣＬ，…で維持放電が起こり、ｋ番目のサブフィールドＳＦk のアドレス期間Ｔｗで消去アドレス放電が起こる。そして、ＳＦデータＧＤのＬＳＢからＭＳＢの全ビット値が「０」のときは、全サブフィールドＳＦ1 〜ＳＦ15 の各発光維持期間Ｔｉで、壁電荷を有する選択セルＣＬ，…で維持放電が起こり、アドレス期間Ｔｗでは消去アドレス放電は起こらない。
【００２７】
以上の駆動法は、上記特許文献１（特開２００４−４６０６号公報）に記載されるが如き、各サブフィールドに割り当てる発光維持期間の比率（重み付け）を２のべき乗に設定する駆動法とは異なるものである。本実施例の駆動法は選択消去アドレス法を採用しており、図４に示されるように、各フィールド期間（表示期間）において、リセット期間Ｔｒと消去期間Ｔｅとが各放電セルＣＬで１回だけで済む。したがって、各フィールドの最初に表示パネル２の全ての放電セルＣＬ，…に壁電荷が蓄積された後は、消去アドレス放電により壁電荷が消去されるまで放電セルＣＬは発光し続けることから、動画像表示の場合に疑似輪郭は発生しないという利点が得られる。
【００２８】
駆動制御部２２は、平均輝度レベル（ＡＰＬ）と発光回数（放電維持パルス数）との対応関係を示す特性すなわちルックアップテーブル（特性テーブル）を格納した特性設定部２３を有している。駆動制御部２２は、特性設定部２３に設定されているルックアップテーブルを参照して、ＡＰＬ検出部２０から与えられる平均輝度レベルの検出値に応じた放電維持パルス数を各サブフィールド毎に決定し、決定した放電維持パルス数をそれぞれサブフィールドＳＦ1 〜ＳＦN （図４）に割り当てる。サブフィールドＳＦ1 〜ＳＦN にそれぞれ割り当てられた放電維持パルス数の値はレジスタ（図示せず）に記憶される。特性設定部２３は、図７に示すように、サブフィールドＳＦ1 ，…，ＳＦN にそれぞれ対応するルックアップテーブル５０1 ，…，５０N を格納しており、駆動制御部２２は、サブフィールドＳＦi （ｉは１〜Ｎの整数）に割り当てるべき放電維持パルス数を決定する際、当該サブフィールドＳＦi に対応するルックアップテーブル５０i を参照する。
【００２９】
このようなルックアップテーブルにおける平均輝度レベルと放電維持パルス数との関係（ＡＢＬ特性）の例を図８および図９に示す。図８および図９において、グラフの横軸は、平均輝度レベル（ＡＰＬ）に対応し、グラフの左側の縦軸は、放電維持パルス数に対応している。曲線Ｐｔは、ＡＰＬと放電維持パルス数との関係を示すＡＢＬ特性曲線である。ただし、グラフ中の平均輝度レベルの値は、全ての放電セルＣＬ，…が最大階調レベルで発光したとき、すなわち表示パネル２の画面全体が最大ピーク輝度の光を放出したときに「１００」の値を持つように正規化されている。また、グラフの右側の縦軸は、プラズマディスプレイ１の消費電力（Ｗ；ワット）に対応している。曲線Ｃｔは、ＡＰＬと消費電力との関係を示す電力特性曲線である。
【００３０】
図８は、目標消費電力を３００Ｗに設定したとき（デフォルト状態）のＡＢＬ特性を示している。電力特性曲線Ｃｔは、ＡＰＬ値が０からＳ0 （＝約１３）までの初期領域では、初期値Ｃｍｉｎから３００Ｗまで単調に増加しており、ＡＰＬ値がＳ0 から１００までの領域では、略３００Ｗの一定値をとる。ＡＢＬ特性曲線Ｐｔは、ＡＰＬ値が０からＳ0 までの領域では、略一定の上限値Ｐｍａｘをとり、ＡＰＬ値がＳ0 から１００までの領域では、単調に減少する。初期領域では、放電維持パルス数は上限値Ｐｍａｘに固定され、電力特性曲線Ｃｔは単調に増加している。一方、ＡＰＬ値がＳ0 から１００までの領域では、消費電力（目標消費電力）が３００Ｗに固定され、かかる制限下でＡＢＬ特性曲線Ｐｔは単調に減少する。このようなデフォルト状態のＡＢＬ特性曲線Ｐｔは、予め測定されＲＯＭなどに格納されている。
【００３１】
図９は、目標消費電力を２００Ｗに設定したときのＡＢＬ特性を示している。図９を参照すると、ＡＰＬ値が０からＳ0 までの領域では、ＡＢＬ特性曲線Ｐｔの放電維持パルス数は上限値Ｐｍａｘに固定され、電力特性曲線Ｃｔは、初期値Ｃｍｉｎから２００Ｗまで単調に増加している。ＡＰＬ値がＳ0 から１００までの領域では、電力特性曲線Ｃｔの消費電力（目標消費電力）は２００Ｗに固定され、かかる制限下でＡＢＬ特性曲線Ｐｔは単調に減少する。
【００３２】
データベース２５は、消費電力毎に用意されたルックアップテーブル群を格納しており、特性取得部２４は、特性設定部２３に設定すべきルックアップテーブル群５０1 ，…，５０N を、電力設定部２６から指定された目標消費電力に応じてデータベース２５から取得する機能を有している。データベース２５には、たとえば、３００Ｗ，２００Ｗ，１００Ｗの消費電力にそれぞれ対応するルックアップテーブル（ＡＢＬ特性）が格納され得る。目標消費電力に対応するルックアップテーブルがデータベース２５に存在しない場合、特性取得部２４は、データベース２５に格納されているルックアップテーブルを用いて当該目標消費電力に対応するルックアップテーブルを補間により算出する機能をも有している。たとえば、電力設定部２６から目標消費電力２５０Ｗが指定された場合、特性取得部２４は、図８に示される３００Ｗ用のＡＢＬ特性曲線Ｐｔと、図９に示される２００Ｗ用のＡＢＬ特性曲線Ｐｔとを用いて、２５０Ｗ用のＡＢＬ特性曲線Ｐｔを補間することができる。あるいは、特性取得部２４は、予め用意され記憶されているＡＢＬ特性曲線Ｐｔの基本関数ｆ（Ｔ；ｘ）に基づいてＡＢＬ特性曲線Ｐｔを算出することが可能である。基本関数ｆ（Ｔ；ｘ）は、目標消費電力ＴとＡＰＬ値ｘに関する関数であり、目標消費電力Ｔを与えることでｆ（Ｔ；ｘ）の関数形が一意に定まる。
【００３３】
上記の通り、特性取得部２４は、電力設定部２６から指定された目標消費電力に応じたルックアップテーブルすなわちＡＢＬ特性曲線Ｐｔを取得し、これを特性設定部２３に設定させるため、駆動制御部２２は、プラズマディスプレイ１の消費電力を目標消費電力に一致せしめるように、サブフィールドＳＦ1 〜ＳＦN 各々に放電維持パルス数を割り当てることができる。ルックアップテーブルは、目標消費電力が指定される度に更新されるため、プラズマディスプレイ１の消費電力を状況に応じて細かく制御することが可能である。
【００３４】
次に、ユーザーは、遠隔操作部（リモコン）またはプラズマディスプレイ１に設けられた操作パネルなどの入力装置３０を操作して目標消費電力の値、たとえば、３００，２００あるいは１８０などを直接入力して指定することができる。入力装置３０は、これら入力値を電力設定部２６に供給し、電力設定部２６は、入力装置３０からの入力値を目標消費電力に設定する。また、ユーザーは、入力装置３０を操作して目標消費電力の値を直接入力する代わりに、目標消費電力に対応する値を入力することもできる。たとえば、ユーザーが、３００Ｗ，２５０Ｗ，２００Ｗおよび１８０Ｗにそれぞれ対応する複数のボタンの中から、目標消費電力３００Ｗに対応するボタンを押下すると、入力装置３０は、押下されたボタンに対応するコマンドを電力設定部２６に供給し、電力設定部２６は、入力装置３０から伝達したコマンドに応じた目標消費電力を設定する。
【００３５】
さらに、ユーザーは、入力装置３０を操作してプラズマディスプレイ１の消費電力の変化率、たとえば、５０％，４０％または３３％などを入力することもできる。入力装置３０は、変化率の値または変化率に対応するコマンドを電力設定部２６に供給し、電力設定部２６は、指定された変化率に応じて目標消費電力を算出してこれを設定する。たとえば、変化率（減少率）３３％が指定された場合、現在設定されている目標消費電力から当該目標消費電力の３３％分を減じて得た量が、新たな目標消費電力に設定される。ところで、消費電力検出部２９は、プラズマディスプレイ１の各処理ブロックで消費される電力量を検出する消費電力検出部２９を備えており、検出データを電力測定部２７に供給している。電力測定部２７は、消費電力検出部２９から供給される検出データに基づいてプラズマディスプレイ１の全体の電力消費量を算出してこれを電力設定部２６に与える。電力設定部２６は、上記変化率が指定されたとき、プラズマディスプレイ１の電力消費量から当該電力消費量の変化率分を減じて得た量を目標消費電力に設定することも可能である。
【００３６】
電力設定部２６で設定された目標消費電力の値は、表示パネル２、あるいは表示パネル２とは別の独立した表示部に表示させることができる。具体的には、コントローラ２１が、電力設定部２６で設定された目標消費電力の値を表示データＤＤに含めて重畳部１２に出力する。重畳部１２は、信号処理部１１から入力した画像信号ＰＤに表示データＤＤを重畳し、これにより表示パネル２に目標消費電力の値が表示される。図１０（Ａ）は、目標消費電力の値の表示例を示す図である。同図（Ａ）に示すように、プラズマディスプレイ１の前面の表示パネル２の下方領域に、目標消費電力「２００Ｗ」を表示し得る。
【００３７】
また、プラズマディスプレイ１は、筐体３に設けられた補助表示部５１を有しており、この補助表示部５１に目標消費電力を表示させることが可能である。コントローラ２１は、電力設定部２６で設定された目標消費電力の値を出力インターフェース部３１を介して補助表示部５１に出力し、図１０（Ｂ）に示すように目標消費電力「２００Ｗ」を補助表示部５１に表示させることができる。
【００３８】
コントローラ２１は、さらに、出力インターフェース部３１または無線インターフェース部３２を介して目標消費電力の値を外部機器に出力し、外部機器に設けられた表示部に目標消費電力を表示させることも可能である。たとえば、図１１に示すように、メディアレシーバ５２に設けられた表示部５３に目標消費電力「２００Ｗ」を表示させたり、図１２に示すように、遠隔操作部（リモコン）５４に目標消費電力の値を無線送信し、遠隔操作部５４の表示部５５に目標消費電力「２００Ｗ」を表示させたり、あるいは、図１３に示すように、電源回路２８（図１）と接続している電源プラグ５６に設けられた表示部５７に目標消費電力「２００Ｗ」に表示させたりすることができる。
【００３９】
ユーザーは、遠隔操作部５４（図１２）の入力ボタンを押下することで、表示パネル２や表示部５１，５３，５５，５７における目標消費電力の表示状態を非表示状態に、またはその非表示状態を表示状態に切り換えることが可能である。
【００４０】
なお、上記表示パネル２や表示部５１，５３，５５，５７に目標消費電力を表示させる代わりに、ユーザーに目標消費電力を認識させ得るメッセージ，文字列もしくはパターンなどを表示させてもよい。
【００４１】
電力測定部２７（図１）は、消費電力検出部２９から供給される検出データに基づいてプラズマディスプレイ１の現在の消費電力を算出するとともに、プラズマディスプレイ１の電力消費量を、年，月もしくは日などの所定の期間単位で計測する機能を有している。ここで、電力測定部２７は、プラズマディスプレイ１の主電源が切られているときの待機時の消費電力（待機電力）をも測定している。電力測定部２７は、さらに、計測した電力消費量に相当する電気料金を算出してこれをメモリ（図示せず）に記憶する機能を有する。
【００４２】
コントローラ２１は、期間単位で計測された電力消費量および電気料金を、上記表示パネル２および表示部５１，５３，５５，５７に表示させることができる。たとえば、コントローラ２１は、図１４（Ａ）に示すように月単位の電力消費量「５０ｋＷｈ／月」を、図１４（Ｂ）に示すように年単位の電力消費量「４００ｋＷｈ／月」をそれぞれ表示させたり、図１４（Ｃ）に示すように現在の消費電力「２００Ｗ」と月単位の電力消費量「５０ｋＷｈ／月」とを並列に表示させたり、図１４（Ｄ）に示すように現在の消費電力「２００Ｗ」と月単位の電力消費量「５０ｋＷｈ／月」とその電気料金「１０００円／月」とを並列に表示させたりすることが可能である。
【００４３】
なお、電力測定部２７が電気料金を算出する際に使用する単価（たとえば、１ｋＷｈ当たりの電気料金）は、ユーザーにより設定され得る。また、ユーザーは、期間単位で計測された電力消費量や電気料金を初期値にリセットすることができる。
【００４４】
上記の通り、目標消費電力や、期間単位で計測された電力消費量および電気料金が表示パネル２などに表示されるため、ユーザーは、入力装置３０を操作して設定した目標消費電力を容易に視認することができ、プラズマディスプレイ１の消費電力を容易に把握することができる。したがって、消費電力の低減をユーザーに実感させ、地球環境に配慮した省電力対応のプラズマディスプレイ１を提供することが可能となる。
【図面の簡単な説明】
【００４５】
【図１】本発明に係る実施例のプラズマディスプレイの構成を概略的に示すブロック図である。
【図２】表示パネルの一部領域を示す平面図である。
【図３】図２に示す表示パネルのＶ１−Ｖ１線に沿った断面図である。
【図４】プラズマディスプレイの発光駆動フォーマットの一例を示す図である。
【図５】表示パネルに印加されるパルス波形を概略的に示すタイミングチャートである。
【図６】階調レベルとサブフィールドとの関係を示す図である。
【図７】サブフィールドに対応するルックアップテーブルを示す図である。
【図８】平均輝度レベルと放電維持パルス数との関係（ＡＢＬ特性）の一例を示すグラフである。
【図９】平均輝度レベルと放電維持パルス数との関係（ＡＢＬ特性）の他の例を示すグラフである。
【図１０】目標消費電力の表示例を示す図である。
【図１１】目標消費電力の表示例を示す図である。
【図１２】目標消費電力の表示例を示す図である。
【図１３】目標消費電力の表示例を示す図である。
【図１４】（Ａ）は、月単位の電力消費量の表示例を示す図、（Ｂ）は、年単位の電力消費量の表示例を示す図、（Ｃ）は、現在の消費電力と月単位の電力消費量との並列表示の例を示す図、（Ｄ）は、現在の消費電力と月単位の電力消費量とその電気料金との並列表示の例を示す図である。
【符号の説明】
【００４６】
１  プラズマディスプレイ
２  表示パネル
１０  Ａ／Ｄ変換器（ＡＤＣ）
１１  信号処理部
１２  重畳部
１３  ＳＦデータ生成部
１４  フレームメモリ回路
１６  アドレス電極ドライバ
１７Ａ，１７Ｂ  維持電極ドライバ
２０  ＡＰＬ検出部（平均輝度レベル検出部）
２２  駆動制御部
２３  特性設定部
２４  特性取得部
２５  データベース
２６  電力設定部
２７  電力測定部
２８  電源回路
３０  入力装置
３１  出力インターフェース部
３２  無線インターフェース部
【図１】
2005321508.tif 000003
【図２】
2005321508.tif 000004
【図３】
2005321508.tif 000005
【図４】
2005321508.tif 000006
【図５】
2005321508.tif 000007
【図６】
2005321508.tif 000008
【図７】
2005321508.tif 000009
【図８】
2005321508.tif 000010
【図９】
2005321508.tif 000011
【図１０】
2005321508.tif 000012
【図１１】
2005321508.tif 000013
【図１２】
2005321508.tif 000014
【図１３】
2005321508.tif 000015
【図１４】
2005321508.tif 000016